(57)【特許請求の範囲】
【請求項１】
支持ブロックを含み、前記支持ブロックの上方には昇降機構が設置され、前記昇降機構は荷重ブロックを含み、前記荷重ブロックの下面には下方に開口した収容空間が設置され、前記収容空間の後壁には駆動モータが固定的に設置され、前記駆動モータの前面には駆動軸が設置され、前記駆動軸が前記駆動モータによって制御され、前記駆動軸にはリールが二つ固定的に設置され、前記リールにはロープが巻きつけられており、前記ロープの下端が前記収容空間の下壁を貫通し且つ前記支持ブロックの上面と固定的に連結され、前記リールの回転によりロープを巻き取る又は緩めることで、前記支持ブロックが連動して昇降でき、
前記支持ブロックの中には給電機構が二つ設置され、前記給電機構は、前記支持ブロックの上面に設置された保存空間を含み、前記保存空間の右壁には左方に開口した伸縮空間が設置され、前記伸縮空間の右壁には伸縮ばねが固定的に設置され、前記伸縮ばねの左端には前記伸縮空間とスライド可能に連結された鉄ブロックが固定的に設置され、前記鉄ブロックの左面には挟みブロックが固定的に設置され、小型電気器具が前記保存空間に保存されており、前記挟みブロックが左方へ運動すると前記小型電気器具を挟め、
前記支持ブロックの中には警報機構が設置され、前記警報機構は前記支持ブロックの中に位置する底部空間を含み、前記底部空間の中には左右に運動できる底部板が設置され、前記底部空間の上壁には左方に開口した載置空間が設置され、前記底部板の上面左部には上端が前記載置空間に位置する支持棒が固定的に設置され、前記支持棒の左方には鈴が二つ設置され、前記鈴を叩くと警報音を出せ、
前記昇降機構は壁と吸着した吸盤を含み、前記荷重ブロックと前記吸盤の右面とが固定的に連結され、前記載置空間の後壁には旋転軸が二本回転可能に設置され、前記旋転軸には旋転輪と叩き棒が固定的に設置され、前記叩き棒が前記旋転輪の前方に位置し、
前記警報機構は前記小型電気器具の左面に固定的に設置された二枚の頂部板を含み、前記頂部板の下面には細糸が固定的に設置され、前記鈴と前記細糸の下端とが固定的に連結され、前記底部空間の下壁には上方に開口した移動溝が形成され、前記移動溝の右壁には移動ばねが固定的に設置され、前記移動ばねの左端には前記移動溝とスライド可能に連結された移動ブロックが固定的に設置され、前記移動ブロックの上面には上端が前記底部空間の中に位置する移動棒が固定的に設置され、前記底部板と前記移動棒の上端とが固定的に連結され、前記底部空間の上壁には下方に開口した連結空間が二つ設置され、前記底部板の上面には連結棒が二本固定的に設置され、二本の前記連結棒は上端が前記連結空間の中に位置し、前記保存空間と前記連結空間とが押出溝によって連通され、
前記給電機構は、前記保存空間の下壁と固定的に連結された距離センサーと底部ばねを含み、前記底部ばねの上端には前記保存空間とスライド可能に連結された圧力板が固定的に設置され、前記圧力板の左面には左方に開口した鉄板が設置され、前記鉄板の右壁には電磁石が固定的に設置され、前記電磁石の左面には連結ばねが固定的に設置され、前記連結ばねの左端には前記鉄板とスライド可能に連結された押出ブロックが固定的に設置され、前記保存空間の左壁には緩衝層が固定的に設置され、
前記吸盤の上方には前記壁に嵌め込まれたソケットが設置され、前記ソケットの中にはプラグが差し込まれており、前記荷重ブロックの上面には導電板が嵌め込まれており、前記導電板と前記プラグとが第一電線によって通電可能に接続され、前記荷重ブロックの下面には第一コネクターと第二コネクターが固定的に設置され、前記第二コネクターと前記導電板とが第二電線によって通電可能に接続され、前記第一コネクターと前記導電板とが第三電線によって通電可能に接続され、前記収容空間の左壁には磁石板が固定的に設置され、
もし小型電気器具が上昇する時、小型電気器具を逆さまに置いたら、あるいは小型電気器具を間違った前記保存空間に置いたら、前記第二コネクター又は前記第一コネクターを対応する小型電気器具に差し込むことができなく、前記圧力板が押されて下降し、前記底部ばねが圧縮され、そして前記押出ブロックが前記圧力板につれて下降して前記押出溝にまで至り、前記連結ばねが復帰し、前記押出ブロックを前記押出溝から押し出され、続いて前記押出ブロックが前記連結棒を押し、前記底部板が連動して左方へ運動し、前記移動ばねが引っ張られ、前記底部板が前記支持棒を左方へ運動させることで、鈴が前記叩き棒の回転位置に運動し、距離センサーは圧力板が指定位置に下降したことを検知し、駆動モータを制御して作動させることで、駆動軸が駆動されて逆回転し、二つのリールを逆回転させ、リールがロープを緩め、支持ブロックが自重により下降し、旋転輪が壁に沿って運動し、そして旋転輪と壁の間の摩擦により、旋転輪が連動して回転し、旋転軸を回転させ、叩き棒が旋転軸につれて回転して鈴を叩き、警報音が出され、小型電気器具の置き間違いを使用者に提示することを特徴とする安全性能の高い給電補助装置。
【発明の詳細な説明】
【技術分野】
【０００１】
本願発明は給電分野を取り上げて、具体的には安全性能の高い給電補助装置である。
【背景技術】
【０００２】
電気器具とは電気を熱源・動力源として利用する器具である。電気器具に対する給電は、配線をプラグに組み合わせてソケットに差し込むことで行われる。電気器具のバッテリーの容量によって充電のかかる時間が違うが、基本的には充電にかなりの時間がかかってしまう。従来の電気器具、特に携帯電話やゲーム機などの小型電気器具の充電において、電線の存在や給電位置の低さのため、損傷が発生しやすく、さらに、対応するソケットも比較的に低い場所に配置する必要があるため、一定の危険性が伴う。
【先行技術文献】
【特許文献】
【０００３】
【特許文献１】中国特許出願公開第１０４０２２４９２号明細書
【発明の概要】
【発明が解決しようとする課題】
【０００４】
本願は安全性能の高い給電補助装置を提供し、給電時に電気器具が損傷しやすいや給電ソケットに危険性が存在するなどの問題を解消することを目的とする。
【課題を解決するための手段】
【０００５】
本願発明は以下の技術プランを通じて実現する。
【０００６】
本願発明の安全性能の高い給電補助装置は、支持ブロックを含み、前記支持ブロックの上方には昇降機構が設置され、前記昇降機構は荷重ブロックを含み、前記荷重ブロックの下面には下方に開口した収容空間が設置され、前記収容空間の後壁には駆動モータが固定的に設置され、前記駆動モータの前面には駆動軸が設置され、前記駆動軸が前記駆動モータによって制御され、前記駆動軸にはリールが二つ固定的に設置され、前記リールにはロープが巻きつけられており、前記ロープの下端が前記収容空間の下壁を貫通し且つ前記支持ブロックの上面と固定的に連結され、前記リールの回転によりロープを巻き取る又は緩めることで、前記支持ブロックが連動して昇降でき、
前記支持ブロックの中には給電機構が二つ設置され、前記給電機構は、前記支持ブロックの上面に設置された保存空間を含み、前記保存空間の右壁には左方に開口した伸縮空間が設置され、前記伸縮空間の右壁には伸縮ばねが固定的に設置され、前記伸縮ばねの左端には前記伸縮空間とスライド可能に連結された鉄ブロックが固定的に設置され、前記鉄ブロックの左面には挟みブロックが固定的に設置され、小型電気器具が前記保存空間に保存されており、前記挟みブロックが左方へ運動すると前記小型電気器具を挟め、
前記支持ブロックの中には警報機構が設置され、前記警報機構は前記支持ブロックの中に位置する底部空間を含み、前記底部空間の中には左右に運動できる底部板が設置され、前記底部空間の上壁には左方に開口した載置空間が設置され、前記底部板の上面左部には上端が前記載置空間に位置する支持棒が固定的に設置され、前記支持棒の左方には鈴が二つ設置され、前記鈴を叩くと警報音を出せる。
【０００７】
好ましくは、前記昇降機構は壁と吸着した吸盤を含み、前記荷重ブロックと前記吸盤の右面とが固定的に連結され、前記載置空間の後壁には旋転軸が二本回転可能に設置され、前記旋転軸には旋転輪と叩き棒が固定的に設置され、前記叩き棒が前記旋転輪の前方に位置する。
【０００８】
好ましくは、前記警報機構は前記小型電気器具の左面に固定的に設置された二枚の頂部板を含み、前記頂部板の下面には細糸が固定的に設置され、前記鈴と前記細糸の下端とが固定的に連結され、前記底部空間の下壁には上方に開口した移動溝が形成され、前記移動溝の右壁には移動ばねが固定的に設置され、前記移動ばねの左端には前記移動溝とスライド可能に連結された移動ブロックが固定的に設置され、前記移動ブロックの上面には上端が前記底部空間の中に位置する移動棒が固定的に設置され、前記底部板と前記移動棒の上端とが固定的に連結され、前記底部空間の上壁には下方に開口した連結空間が二つ設置され、前記底部板の上面には連結棒が二本固定的に設置され、二本の前記連結棒は上端が前記連結空間の中に位置し、前記保存空間と前記連結空間とが押出溝によって連通されている。
【０００９】
好ましくは、前記給電機構は、前記保存空間の下壁と固定的に連結された距離センサーと底部ばねを含み、前記底部ばねの上端には前記保存空間とスライド可能に連結された圧力板が固定的に設置され、前記圧力板の左面には左方に開口した鉄板が設置され、前記鉄板の右壁には電磁石が固定的に設置され、前記電磁石の左面には連結ばねが固定的に設置され、前記連結ばねの左端には前記鉄板とスライド可能に連結された押出ブロックが固定的に設置され、前記保存空間の左壁には緩衝層が固定的に設置されている。
【００１０】
好ましくは、前記吸盤の上方には前記壁に嵌め込まれたソケットが設置され、前記ソケットの中にはプラグが差し込まれており、前記荷重ブロックの上面には導電板が嵌め込まれており、前記導電板と前記プラグとが第一電線によって通電可能に接続され、前記荷重ブロックの下面には第一コネクターと第二コネクターが固定的に設置され、前記第二コネクターと前記導電板とが第二電線によって通電可能に接続され、前記第一コネクターと前記導電板とが第三電線によって通電可能に接続され、前記収容空間の左壁には磁石板が固定的に設置されている。
【発明の効果】
【００１１】
本願発明は、ソケットを比較的に高いところに配置でき、使用上の安全性が向上し、また、内部に複数のコネクターが配置されるため、多種類の電気器具に対応でき、プラグの差し込みが間違ったら、使用者に警報を出すことで、給電をうまく行え、優れた知能性を備え、さらに、充電が壁の高い位置に行われるため、誤って充電を途中で中止することはなく、その他、充電線を携帯する必要がないため、使用がより便利になる。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の全体構成模式図
【図２】図２は図１におけるＡ部の拡大模式図
【図３】図３は図１におけるＢ―Ｂの拡大模式図
【図４】図４は図２におけるＣ部の拡大模式図
【発明を実施するための形態】
【００１４】
図１〜４を参照し、本願発明の安全性能の高い給電補助装置は、支持ブロック２７を含み、前記支持ブロック２７の上方には昇降機構７０が設置され、前記昇降機構７０は荷重ブロック１８を含み、前記荷重ブロック１８の下面には下方に開口した収容空間１５が設置され、前記収容空間１５の後壁には駆動モータ５０が固定的に設置され、前記駆動モータ５０の前面には駆動軸２３が設置され、前記駆動軸２３が前記駆動モータ５０によって制御され、前記駆動軸２３にはリール１１が二つ固定的に設置され、前記リール１１にはロープ２６が巻きつけられており、前記ロープ２６の下端が前記収容空間１５の下壁を貫通し且つ前記支持ブロック２７の上面と固定的に連結され、前記リール１１の回転によりロープ２６を巻き取る又は緩めることで、前記支持ブロック２７が連動して昇降でき、
前記支持ブロック２７の中には給電機構７２が二つ設置され、前記給電機構７２は、前記支持ブロック２７の上面に設置された保存空間３７を含み、前記保存空間３７の右壁には左方に開口した伸縮空間３９が設置され、前記伸縮空間３９の右壁には伸縮ばね４０が固定的に設置され、前記伸縮ばね４０の左端には前記伸縮空間３９とスライド可能に連結された鉄ブロック３８が固定的に設置され、前記鉄ブロック３８の左面には挟みブロック４１が固定的に設置され、小型電気器具２５が前記保存空間３７に保存されており、前記挟みブロック４１が左方へ運動すると前記小型電気器具２５を挟め、
前記支持ブロック２７の中には警報機構７１が設置され、前記警報機構７１は前記支持ブロック２７の中に位置する底部空間４９を含み、前記底部空間４９の中には左右に運動できる底部板４７が設置され、前記底部空間４９の上壁には左方に開口した載置空間３３が設置され、前記底部板４７の上面左部には上端が前記載置空間３３に位置する支持棒３５が固定的に設置され、前記支持棒３５の左方には鈴３１が二つ設置され、前記鈴３１を叩くと警報音を出せる。
【００１５】
有利なことに、前記昇降機構７０は壁１０と吸着した吸盤１２を含み、前記荷重ブロック１８と前記吸盤１２の右面とが固定的に連結され、前記載置空間３３の後壁には旋転軸２９が二本回転可能に設置され、前記旋転軸２９には旋転輪２８と叩き棒３０が固定的に設置され、前記叩き棒３０が前記旋転輪２８の前方に位置する。
【００１６】
有利なことに、前記警報機構７１は前記小型電気器具２５の左面に固定的に設置された二枚の頂部板３４を含み、前記頂部板３４の下面には細糸３２が固定的に設置され、前記鈴３１と前記細糸３２の下端とが固定的に連結され、前記底部空間４９の下壁には上方に開口した移動溝４８が形成され、前記移動溝４８の右壁には移動ばね４４が固定的に設置され、前記移動ばね４４の左端には前記移動溝４８とスライド可能に連結された移動ブロック４６が固定的に設置され、前記移動ブロック４６の上面には上端が前記底部空間４９の中に位置する移動棒４５が固定的に設置され、前記底部板４７と前記移動棒４５の上端とが固定的に連結され、前記底部空間４９の上壁には下方に開口した連結空間４３が二つ設置され、前記底部板４７の上面には連結棒４２が二本固定的に設置され、二本の前記連結棒４２は上端が前記連結空間４３の中に位置し、前記保存空間３７と前記連結空間４３とが押出溝５１によって連通されている。
【００１７】
有利なことに、前記給電機構７２は、前記保存空間３７の下壁と固定的に連結された距離センサー５７と底部ばね５６を含み、前記底部ばね５６の上端には前記保存空間３７とスライド可能に連結された圧力板５８が固定的に設置され、前記圧力板５８の左面には左方に開口した鉄板５３が設置され、前記鉄板５３の右壁には電磁石５４が固定的に設置され、前記電磁石５４の左面には連結ばね５５が固定的に設置され、前記連結ばね５５の左端には前記鉄板５３とスライド可能に連結された押出ブロック５２が固定的に設置され、前記保存空間３７の左壁には緩衝層３６が固定的に設置されている。
【００１８】
有利なことに、前記吸盤１２の上方には前記壁１０に嵌め込まれたソケット１３が設置され、前記ソケット１３の中にはプラグ１４が差し込まれており、前記荷重ブロック１８の上面には導電板１７が嵌め込まれており、前記導電板１７と前記プラグ１４とが第一電線１６によって通電可能に接続され、前記荷重ブロック１８の下面には第一コネクター２１と第二コネクター２２が固定的に設置され、前記第二コネクター２２と前記導電板１７とが第二電線１９によって通電可能に接続され、前記第一コネクター２１と前記導電板１７とが第三電線２０によって通電可能に接続され、前記収容空間１５の左壁には磁石板２４が固定的に設置されている。
【００１９】
はじめに、底部ばね５６及び連結ばね５５が圧縮状態にあり、伸縮ばね４０が自然状態にある。
【００２０】
充電要りの小型電気器具２５を保存空間３７に入れ、当該小型電気器具２５の充電口が第二コネクター２２と対応すれば左の保存空間３７に置き、第一コネクター２１と対応すれば、右の保存空間３７に置き、そして駆動モータ５０を作動させることで、駆動軸２３が回転して二つのリール１１を回転させ、ロープ２６がリール１１によって巻き取られ、支持ブロック２７を上昇させ、旋転輪２８が壁１０に沿って上昇しながら回転し、案内の役割を果たし、続いて支持ブロック２７が小型電気器具２５を上昇させ、もし小型電気器具２５の充電口が正しく置かれた場合、第二コネクター２２と第一コネクター２１とが対応する小型電気器具２５に差し込まれ、ソケット１３、プラグ１４、第一電線１６、導電板１７、第二電線１９及び第三電線２０を介して小型電気器具２５に充電を行い、鉄ブロック３８が支持ブロック２７につれて上昇して磁石板２４に近づき、そして磁石板２４と鉄ブロック３８との間の吸引力が増加し、磁石板２４が鉄ブロック３８を吸引して左方へ運動させ、鉄ブロック３８が挟みブロック４１を左方へ運動させ、挟みブロック４１と緩衝層３６により小型電気器具２５を挟み、充電が終わった後、駆動モータ５０を作動させることで、駆動軸２３が駆動されて逆回転し、二つのリール１１を逆回転させ、そしてリール１１がロープ２６を緩め、支持ブロック２７が自重により下降し、挟みブロック４１と緩衝層３６による挟みによって、小型電気器具２５を引いて第二コネクター２２と第一コネクター２１から離脱させ、ここで小型電気器具２５に対する充電が止められ、支持ブロック２７が復帰し、小型電気器具２５を取り出せ、
もし小型電気器具２５が上昇する時、小型電気器具２５を逆さまに置いたら、あるいは小型電気器具２５を間違った保存空間３７に置いたら、第二コネクター２２又は第一コネクター２１を対応する小型電気器具２５に差し込むことができなく、圧力板５８が押されて下降し、底部ばね５６が圧縮され、そして押出ブロック５２が圧力板５８につれて下降して押出溝５１にまで至り、連結ばね５５が復帰し、押出ブロック５２を押出溝５１から押し出され、続いて押出ブロック５２が連結棒４２を押し、底部板４７が連動して左方へ運動し、移動ばね４４が引っ張られ、底部板４７が支持棒３５を左方へ運動させることで、鈴３１が叩き棒３０の回転位置に運動し、距離センサー５７は圧力板５８が指定位置に下降したことを検知し、駆動モータ５０を制御して作動させることで、駆動軸２３が駆動されて逆回転し、二つのリール１１を逆回転させ、リール１１がロープ２６を緩め、支持ブロック２７が自重により下降し、旋転輪２８が壁１０に沿って運動し、そして旋転輪２８と壁１０の間の摩擦により、旋転輪２８が連動して回転し、旋転軸２９を回転させ、叩き棒３０が旋転軸２９につれて回転して鈴３１を叩き、警報音が出され、小型電気器具２５の置き間違いを使用者に提示し、続いて電磁石５４が通電により磁力を生み出し、押出ブロック５２を吸引して鉄板５３の中に戻り、連結ばね５５が圧縮され、底部ばね５６が復帰して圧力板５８を上昇させ、ここで利用者が改めて小型電気器具２５の置き場を調整できる。
【００２１】
以上の方式により、当該分野の従業員は本願発明の範囲内で作業状況に応じて様々な改変を加えることができる。
【要約】
【課題】本願は安全性能の高い給電補助装置を開示した。
【解決手段】
本願発明の安全性能の高い給電補助装置は、支持ブロックを含み、前記支持ブロックの上方には昇降機構が設置され、前記昇降機構は荷重ブロックを含み、前記荷重ブロックの下面には下方に開口した収容空間が設置され、前記収容空間の後壁には駆動モータが固定的に設置され、本願発明は、ソケットを比較的に高いところに配置でき、使用上の安全性が向上し、また、内部に複数のコネクターが配置されるため、多種類の電気器具に対応でき、プラグの差し込みが間違ったら、使用者に警報を出すことで、給電をうまく行え、優れた知能性を備え、さらに、充電が壁の高い位置に行われるため、誤って充電を途中で中止することはなく、その他、充電線を携帯する必要がないため、使用がより便利になる。
【選択図】図１【図１】
0006826707.tif 000002
【図２】
0006826707.tif 000003
【図３】
0006826707.tif 000004
【図４】
0006826707.tif 000005